(57)【要約】【課題】ニュートラルスタートスイッチを破損することなく、所定の締結工具により予め決められた締結位置にてトランスミッションケースをエンジンに安定して取り付けられるようにする。【解決手段】トランスミッションケース１のスイッチ本体３および締結位置７を順次に見通し可能な位置であるトランスミッションケース１の右側の前上端部に、“く”字状のエンジンハンガー１１を取り付け、エンジンハンガー１１の先端部分を一部円弧状に切り欠いてガイド部１３を形成し、このガイド部１３に締結工具９の棒状部分９ａをガイドさせることにより、棒状部分９ａのＮＳＳの本体３への接触を回避しつつ締結工具９によるボルト締結を安定して行える。【選択図】図３
2010127379.tif 000002
【特許請求の範囲】
【請求項１】
シフトレバーのレンジ位置を検出するニュートラルスタートスイッチの本体が固定されたトランスミッションケースを、予め決められた締結位置にて所定の締結工具によりエンジンに取り付けるためのトランスミッションケースの取付構造において、
前記トランスミッションケースの前記ニュートラルスタートスイッチの本体および前記締結位置を順次に見通し可能な位置に設けられた前記エンジンの吊り下げ用エンジンハンガーを備え、
前記エンジンハンガーの先端部に、前記締結工具の前記スイッチ本体への接触を回避しつつ前記締結工具を前記締結位置までガイドするガイド部が形成されていることを特徴とするトランスミッションケースの取付構造。
【発明の詳細な説明】
【技術分野】
【０００１】
この発明は、シフトレバーのレンジ位置を検出するニュートラルスタートスイッチのスイッチ本体が固定されたトランスミッションケースを、予め決められた締結位置にて所定の締結工具によりエンジンに取り付けるためのトランスミッションケースの取付構造に関するものである。
【背景技術】
【０００２】
一般に、自動変速機におけるトランスミッションケースには、シフトレバーのレンジ位置を検出するニュートラルスタートスイッチ（以下、ＮＳＳと称する）の本体が固定される（例えば、特許文献１参照）。
【０００３】
そして、このトランスミッションケースはエンジンに取り付けられるが、取り付けの際、専用の締結工具を用いて予め決められた締結位置にボルト等により締結される。通常工場内では、“く”字状のエンジンハンガーがトランスミッションケースに予め取付けられており、このエンジンハンガーにチェーンが引掛けられてトランスミッションケースが一定結合されたエンジンを吊り下げた状態で製造ラインに沿って搬送されるようになっている。
【０００４】
このとき、トランスミッションケースをエンジンに取り付ける専用の締結工具は、エンジンハンガー、ＮＳＳの本体および締結位置を順次に見通す位置にある上記締結位置までの長尺の棒状部分を有し、棒状部分先端にボルト頭が嵌挿されるボルト締結部を有し、棒状部分のボルト締結部と反対側にはモータを内蔵した操作部が設けられて構成されている。そして、操作部を把持してエンジンハンガーおよびＮＳＳの本体越しに、ボルト締結部を締結位置の雌ねじ部分まで導き、操作部のモータ操作スイッチをオンすることで、操作部に内蔵されたモータが回転して棒状部分がボルト締結部と一体的に回転し、ボルト締結部に嵌挿したボルトが締結方向に回転してエンジンの締結位置の雌ねじに螺着し、トランスミッションケースがエンジンに一体的に結合されて取り付けられるようになっている。
【０００５】
【特許文献１】特開２００７−２５５６３０号公報（段落００１２〜００１４、図１、図２など）
【発明の開示】
【発明が解決しようとする課題】
【０００６】
しかし、専用の締結工具の棒状部分が長く、しかも締結工具の操作部を把持してエンジンハンガーおよびＮＳＳの本体越しにボルト締結部を締結位置まで導いてボルトの締結作業を行なう際に、上記したＮＳＳの本体が締結工具の棒状部分に干渉し易い位置にあるため、ＮＳＳの本体に締結工具の棒状部分が干渉して接触し易く、締結作業中にＮＳＳを破損するおそれがある。
【０００７】
また、ボルトの締結作業中、締結工具の棒状部分がＮＳＳの本体に接触しないように、締結工具を最適位置からずらしつつ操作部のモータ操作スイッチをオン操作すると、締結工具の棒状部分がぶれながら回転するため、棒状部分先端のボルト締結部に嵌着されたボルトにボルト締結部の回転がうまく伝わらず、安定してボルトを締結することができないこともある。
【０００８】
本発明は上記課題に鑑みなされたものであり、ニュートラルスタートスイッチを破損することなく、所定の締結工具により予め決められた締結位置にてトランスミッションケースをエンジンに安定して取り付けられるようにすることを目的とする。
【課題を解決するための手段】
【０００９】
上記した目的を達成するために、本発明のトランスミッションケースの取付構造は、シフトレバーのレンジ位置を検出するニュートラルスタートスイッチの本体が固定されたトランスミッションケースを、予め決められた締結位置にて所定の締結工具によりエンジンに取り付けるためのトランスミッションケースの取付構造において、前記トランスミッションケースの前記ニュートラルスタートスイッチの本体および前記締結位置を順次に見通し可能な位置に設けられた前記エンジンの吊り下げ用エンジンハンガーを備え、前記エンジンハンガーの先端部に、前記締結工具の前記スイッチ本体への接触を回避しつつ前記締結工具を前記締結位置までガイドするガイド部が形成されていることを特徴としている（請求項１）。
【発明の効果】
【００１０】
請求項１の発明によれば、エンジンハンガーの先端部にガイド部を設けたため、このガイド部により締結工具のぶれを防止でき、締結工具がニュートラルスタートスイッチの本体に接触することを回避しつつ締結工具を締結位置までガイドすることができ、締結作業中にニュートラルスタートスイッチを破損することを防止できる。さらに、ガイド部により締結工具がぶれることなくガイドされるため、締結位置にてトランスミッションケースをエンジンに安定して取り付けることができる。
【発明を実施するための最良の形態】
【００１１】
つぎに、本発明に係るトランスミッションケースの取付構造の一実施形態について、図１ないし図４を参照して説明する。ここで、図１ないし図４はいずれもトランスミッションケースをエンジンに取り付ける作業途中の状態を示し、図１は平面図、図２は斜め前上方から見た斜視図、図３は右斜め前上方から見た斜視図、図４は斜め後上方から見た斜視図である。
【００１２】
これらの図に示すように、トランスミッションケース１は図１ではその左側に位置するエンジン（図示せず）に一体的に結合されて取り付けられものであり、トランスミッションケース１内には、主としてベルト式無段変速機構と、該無段変速機構をシフトレバー（不図示）の操作によって選択されたＰ（パーキング）−Ｒ（リバース）−Ｎ（ニュートラル）−Ｄ（ドライブモード）−Ｓ（スポーツモード）−Ｂ（ブレーキモード）の何れかのレンジ位置に対応した変速モードに切り換える変速モード切り換え機構とを収容した構造を有している。なお、このトランスミッションケース１を車両に搭載した場合、図１において下側が車両前側であり、右側が車両左側となる。
【００１３】
そして、上記シフトレバーのレンジ位置を検出し、ＰあるいはＮ位置ではキー操作によるスタータ（図示せず）始動を可能にするとともに、検出されたレンジ位置を運転席に配設されたメータ装置（図示せず）に表示するＮＳＳ（ニュートラルスタートスイッチ）を備えており、このＮＳＳの本体３が、トランスミッションケース１を挟んでエンジンと反対側（図１の右側）から見てトランスミッションケース１の上左端部に配設されている。
【００１４】
ここで、トランスミッションケース１の上壁部にはシャフト挿通穴が形成され、この挿通穴には、上下方向に延びるコントロールシャフトが挿入されており、このコントロールシャフトの下端部は上記した変速モード切り換え機構に連結されている。
【００１５】
さらに、コントロールシャフトの上端部は、トランスミッションケース１の上壁部から上方に突出しており、突出した上端部にはアーム５がナットにより締結固定され、該アーム５に上記したシフトレバーがコントロールケーブル（図示せず）を介して連結されている。これにより、シフトレバーの切り換えに応じてアームの回転位置が切り換わり、ＮＳＳがアームの回転位置を検出してシフトレバーのレンジ位置を検出するようになっている。
【００１６】
また、トランスミッションケース１の上左端部には、トランスミッションケース１をエンジンにボルトにて締結するために締結位置７が予め決められており、この締結位置７にはボルト螺着するためのほぼ左右方向への雌ねじ部（図示せず）が形成されている。なお、このトランスミッションケース１では、図１の右側から見てエンジンハンガー１１、ＮＳＳの本体３、締結位置７の順に位置する。
【００１７】
そして、モータにより回転される長尺の棒状部分９ａと、棒状部分９ａの先端にボルト頭が嵌挿されるボルト締結部９ｂと、棒状部分９ａのボルト締結部９ｂと反対側にモータ操作スイッチ９ｃによりオンオフされるモータ（図示せず）を内蔵した本体部９ｄとを備える専用の締結工具９により、トランスミッションケース１がエンジンに取り付けられる。
【００１８】
トランスミッションケース１のスイッチ本体３および締結位置７を、トランスミッションケース１を挟んでエンジンと反対側から順次に見通し可能な位置であるトランスミッションケース１の右側の前上端部には、“く”字状のエンジンハンガー１１が取り付けられ、このエンジンハンガー１１にチェーンが引掛けられてトランスミッションケース１が一定結合されたエンジンを吊り下げた状態で製造ラインに沿って搬送されるようになっている。
【００１９】
このとき、特に図３に示されるように、エンジンハンガー１１の先端部分が一部円弧状に切り欠かれてガイド部１３が形成されており、エンジンハンガー１１のガイド部１３に締結工具９の棒状部分９ａをガイドさせることにより、棒状部分９ａのＮＳＳの本体３への干渉を回避しつつ締結工具９を締結位置７までガイドできるようになっている。
【００２０】
そして、締結工具９の棒状部分９ａをエンジンハンガー１１のガイド部１３にガイドさせた状態で、締結工具９のモータ操作スイッチ９ｃのオンによりモータが回転すると、ガイド部１３を棒状部分９ａが摺接しつつ回転するため、締結工具９の棒状部分９ａがぶれることなく回転することとなり、その結果、締結工具９の棒状部分９ａがＮＳＳの本体３に接触することを防止して接触によるＮＳＳの破損を防止でき、安定してボルト締結作業を行うことができる。
【００２１】
従って、上記した実施形態によれば、エンジンハンガー１１の先端部にガイド部１３を形成したため、このガイド部１３により、締結工具９がＮＳＳの本体３に接触することを回避しつつ締結工具９を締結位置７まで安定してガイドすることができ、しかも締結工具９がぶれることなくガイドされることとなることから、締結作業中に締結工具９が接触することによるＮＳＳの破損を未然に防止することが可能になる。
【００２２】
また、エンジンハンガー１１のガイド部１３により締結工具９がぶれることなくガイドされることとなるため、締結位置７にてトランスミッションケース１をエンジンに取り付けるためのボルト締結作業を安定して行うことが可能になる。
【００２３】
なお、本発明は上記した実施形態に限定されるものではなく、その趣旨を逸脱しない限りにおいて上述したもの以外に種々の変更を行うことが可能である。例えば、エンジンハンガーの形状は上記した“く”字状のものに限定されるものではない。
【図面の簡単な説明】
【００２４】
【図１】本発明の一実施形態におけるトランスミッションケースをエンジンに取り付ける作業途中の状態での平面図である。
【図２】本発明の一実施形態におけるトランスミッションケースをエンジンに取り付ける作業途中の状態での斜め前上方から見た斜視図である。
【図３】本発明の一実施形態におけるトランスミッションケースをエンジンに取り付ける作業途中の状態での右斜め前上方から見た斜視図である。
【図４】本発明の一実施形態におけるトランスミッションケースをエンジンに取り付ける作業途中の状態での斜め後上方から見た斜視図である。
【符号の説明】
【００２５】
１……トランスミッションケース
３……ＮＳＳ（ニュートラルスタートスイッチ）の本体
７……締結位置
９……締結工具
１１……エンジンハンガー
１３……ガイド部
【図１】
2010127379.tif 000003
【図２】
2010127379.tif 000004
【図３】
2010127379.tif 000005
【図４】
2010127379.tif 000006